(57)【特許請求の範囲】
【請求項１】
内容物を収容したボトルの口部に取り付け可能なキャップ本体部と、該キャップ本体部の上面に設けられ、複数の櫛歯が並設された櫛部と、を備え、
前記櫛歯の側面に、前記内容物を吐出させるための吐出口が形成され、前記櫛歯の内部に、前記キャップ本体部の内側と前記吐出口とを連通する連通孔が形成された櫛付きキャップにおいて、
前記櫛歯は、先端に向かいに従い漸次縮幅された尖形状に形成され、
前記吐出口は、前記連通孔を形成するコア金型にキャビティ金型の一部を接触させて成形することによりその接触部分に形成されて、前記櫛歯の縮幅する側面に、櫛歯の中心軸方向において間隔をあけて複数並んで配設されており、櫛歯先端側の吐出口ほど櫛歯並列方向における前記櫛歯の中心軸側に配設されていることを特徴とする櫛付きキャップ。
【請求項２】
請求項１記載の櫛付きキャップにおいて、
前記複数の吐出口の開口面積は、櫛歯先端側の吐出口ほど大きくなっていることを特徴とする櫛付きキャップ。
【発明の詳細な説明】
【技術分野】
【０００１】
本発明は、ボトルの口部に取り付け可能な櫛付きキャップに関する。
【背景技術】
【０００２】
この種の櫛付きキャップとして、従来、例えば下記特許文献１に示されているような、内容物を収容したボトルの口部に取り付け可能なキャップ本体部と、このキャップ本体の上面に設けられた櫛部と、を備えた構成が知られている。上記した櫛部には、一列に並列された複数の櫛歯が備えられている。この櫛歯の側面には、ボトル内の内容物を吐出させるための吐出口が形成されており、また、櫛歯の内部には、上記した吐出口とキャップ本体部の内側とを連通する連通孔が形成されている。この櫛付きキャップでは、ボトル内に収容された内容物が上記した連通孔を通って吐出口から吐出されるので、吐出口から内容物を吐出させるとともに櫛部で毛髪を梳かすことにより、毛髪に内容物を塗布することができる。
【特許文献１】特許第３９５０６０１号公報
【発明の開示】
【発明が解決しようとする課題】
【０００３】
しかしながら、上記した従来の櫛付きキャップでは、内容物を吐出する吐出口が櫛歯の先端部分にだけ形成されているので、内容物の吐出量が足りない場合があり、この場合、内容物の塗布量が不十分になる場合がある。
【０００４】
本発明は、上記した従来の問題が考慮されたものであり、内容物の吐出量を増加させることができ、十分な量の内容物を塗布することができる櫛付きキャップを提供することを目的としている。
【課題を解決するための手段】
【０００５】
本発明に係る櫛付きキャップは、内容物を収容したボトルの口部に取り付け可能なキャップ本体部と、該キャップ本体部の上面に設けられ、複数の櫛歯が並設された櫛部と、を備え、前記櫛歯の側面に、前記内容物を吐出させるための吐出口が形成され、前記櫛歯の内部に、前記キャップ本体部の内側と前記吐出口とを連通する連通孔が形成された櫛付きキャップにおいて、前記櫛歯は、先端に向かいに従い漸次縮幅された尖形状に形成され、前記吐出口は、前記連通孔を形成するコア金型にキャビティ金型の一部を接触させて成形することによりその接触部分に形成されて、前記櫛歯の縮幅する側面に、櫛歯の中心軸方向において間隔をあけて複数並んで配設されており、櫛歯先端側の吐出口ほど櫛歯並列方向における前記櫛歯の中心軸側に配設されていることを特徴としている。
【０００６】
このような特徴により、ボトル内に収容された内容物が、連通孔を通って、櫛歯の中心軸方向に間隔をあけて形成された複数の吐出口からそれぞれ吐出される。
また、櫛付きキャップを成形する際、連通孔を形成するコアピン、及び櫛歯の外形を形成するキャビティ（縦喰い切りピン）にそれぞれ段差をつけ、これらの金型（コアピン、キャビティ）の段差面同士を櫛歯軸方向において複数ヶ所で接触させることにより、櫛歯軸直交方向に延在する横ピンを用いることなく、櫛歯の中心軸方向に間隔をあけて複数の吐出口が形成される。
【０００７】
また、本発明に係る櫛付きキャップは、前記複数の吐出口の開口面積が、櫛歯先端側の吐出口ほど大きくなっていることが好ましい。
【０００８】
内容物を吐出口から吐出させる際、櫛歯先端側の吐出口ほど内容物の流通経路が長くなるので、櫛歯先端側の吐出口の方が櫛歯基端側の吐出口よりも内容物が流出されにくい。このため、仮に、複数の吐出口が同じ開口面積の場合、櫛歯先端側の吐出口ほど吐出量が少なくなる。これに対し、上記した構成からなる櫛付きキャップでは、櫛歯先端側の吐出口ほど開口面積が大きくなっているので、各吐出口からの吐出量のばらつきが抑えられ、複数の吐出口からの吐出量が均等化される。
【発明の効果】
【０００９】
本発明に係る櫛付きキャップによれば、櫛歯の中心軸方向に間隔をあけて形成された複数の吐出口から内容物がそれぞれ吐出されるので、内容物の吐出量を増加させることができ、十分な量の内容物を塗布することができる。
【発明を実施するための最良の形態】
【００１０】
以下、本発明に係る櫛付きキャップの実施の形態について、図面に基いて説明する。
図１は本実施の形態における櫛付きキャップ１の平面図であり、図２は図１に示すＡ−Ａ間の半断面図であり、図３は図１に示すＢ−Ｂ間の半断面図である。
なお、本実施の形態では、櫛付きキャップ１の開口端側（図２における下側）を下方とし、その反対側（図２における上側）を上方とする。また、後述する櫛歯８が並べられた櫛歯並列方向（図１における横方向）をＸ方向とし、Ｘ方向に直交する方向（図１における縦方向）をＹ方向とする。また、上下方向に延在する図２に示す符号Ｌ０は、櫛付きキャップ１の中心軸線であり、以下、キャップ軸Ｌ０と記す。また、図２に示す符号Ｌ１は、後述する櫛歯８の中心軸線であり、以下、櫛歯軸Ｌ１と記す。
【００１１】
図１〜図３に示すように、櫛付きキャップ１は、図示せぬボトルの口部に取り付けられたポリプロピレン（以下、ＰＰと記す。）、ポリエチレン（以下、ＰＥと記す。）等の合成樹脂製の部材であり、その概略構成としては、上記口部に螺着されるキャップ本体部２と、複数の櫛歯８が並設された櫛部３と、を備えている。上記した図示せぬボトルは、内部に毛染め剤等の内容物が収容されたスクイズボトルであり、その胴部がスクイズ変形可能で復元自在な可撓性を有している。
【００１２】
キャップ本体部２は、円環状の天板部４と、天板部４の外縁部から下方に向かって垂下された外筒部５と、天板部４の内縁部から下方に向かって垂下された内筒部６と、を備えている。外筒部５は、図示せぬボトルの口部の外側に被せられる円筒形状のものであり、その内周面には、上記口部の外周面に形成された雄ネジに螺着される雌ネジ５０が形成され、また、その外周面には、上下方向に延在する凸条部５１がキャップ周方向に間隔をあけて複数配設されている。内筒部６は、図示せぬボトルの口部の内側に挿入される円筒形状のものであり、その外周面は、上記口部の上端部の内周面に摺接される。
【００１３】
櫛部３は、キャップ本体部２の天板部４の上面に設けられた中空の基台部７と、基台部７の上面に突設された複数の櫛歯８と、基台部７の上面に突設されて隣り合う櫛歯８のＹ方向の両端部間にそれぞれ配設された副櫛歯９と、を備えている。
基台部７は、天板部４の内縁部から上方に向けて膨出された略ドーム状の形状になっており、図１に示すように平面視においてＸ方向に長い略楕円形状になっており、その下端面は開口されており、キャップ本体部２の内筒部６の内側に連通されている。
【００１４】
櫛歯８は、キャップ軸Ｌ０に平行する平板状の部材であり、図３に示すように上方に向かうに従い漸次縮幅された尖形状になっている。櫛歯８の先端部及び側端部はそれぞれ断面視円弧形状になっている。複数の櫛歯８は、図１に示すように、櫛歯８の先端側（上側）からみて、それぞれＹ方向に沿って互いに平行に配置されているとともに、Ｘ方向に一定間隔をおいて一列に並列されている。
【００１５】
上記した櫛歯８の内部には、後述する吐出口８１Ａ，８１Ｂと上記したキャップ本体部２の内側とを連通する連通孔８０が形成されている。連通孔８０は、櫛歯軸Ｌ１方向（上下方向）に延在する孔である。連通孔８０は、基台部７の内側空間を介してキャップ本体部２の内側に連通されており、この連通孔８０の下端は、基台部７の内側に向けて開放されている。連通孔８０の内周面のうち、Ｘ方向の両面には、連通孔８０のＸ方向の幅が上方に向かうに従い縮幅されるように段差がそれぞれ付けられている。
【００１６】
また、上記した櫛歯８の側面（隣り合う櫛歯８に対向するＸ方向の面）には、図示せぬボトル内の内容物を吐出させるための複数の吐出口８１Ａ，８１Ｂが形成されている。複数の吐出口８１Ａ，８１Ｂは、櫛歯軸Ｌ１方向に間隔をあけて配設されており、櫛歯８の中間部分に、連通孔８０の中間部分に連通する下側吐出口８１Ａが形成されており、櫛歯８の先端部分（上部）に、連通孔８０の先端（上端）部分に連通する上側吐出口８１Ｂが形成されている。詳しく説明すると、櫛歯８の上部の側面には、櫛歯８の先端（上端）から基端側（下方）に向かって延在する凹溝８２が形成されており、この凹溝８２の下端部分の底面に下側吐出口８１Ａが形成されており、凹溝８２の中間部分の底面に上側吐出口８１Ｂが形成されている。
【００１７】
また、図２に示すように、上記した凹溝８２、下側吐出口８１Ａ及び上側吐出口８１Ｂは、櫛歯８のＸ方向の両側面にそれぞれ形成されており、櫛歯軸Ｌ１を挟んで対称に形成されている。また、上記した下側吐出口８１Ａ及び上側吐出口８１Ｂの開口面は、上方に向かうに従い櫛歯８径方向内側に傾斜されており、櫛歯軸Ｌ１を挟んで対称に形成された一対の下側吐出口８１Ａ，８１Ａ及び一対の上側吐出口８１Ｂ，８１Ｂは、図２に示すように、Ｘ方向の縦断面視においてハ字状に形成されている。また、下側吐出口８１Ａの開口面は、上側吐出口８１Ｂの開口面よりも櫛歯軸Ｌ１に対する傾斜角度が大きくなっている。
【００１８】
上記した下側吐出口８１Ａ及び上側吐出口８１Ｂは、連通孔８０を形成するための図示せぬコアピンと、凹溝８２を形成するための図示せぬ縦喰い切りピンとを、櫛歯軸Ｌ１方向に２箇所で接触させることにより、その接触部分に形成される。詳しく説明すると、図示せぬコアピンの上端部（先端部）の側面、及び、図示せぬ縦喰い切りピンの下端部（先端部）の側面には、先端側から順に、ピン軸に対して傾斜した先端当接面と、ピン軸に平行する平行面と、ピン軸に対して傾斜した基端当接面と、がピン軸方向に連続的にそれぞれ形成されており、コアピンの先端部および縦喰い切りピンの先端部が先端側に向かうに従い薄肉になるように段差がそれぞれ形成されている。そして、上記したコアピンの先端部の両側に縦喰い切りピンの先端部を配置し、コアピンの先端当接面と縦喰い切りピンの基端当接面とを当接させるとともに、コアピンの基端当接面と縦喰い切りピンの先端当接面とを当接させ、さらに、コアピンの平行面と縦喰い切りピンの平行面とを間隔をあけて対向させる。これにより、成型時に、上記した当接部分に樹脂等が回らなくなり、コアピンの基端当接面と縦喰い切りピンの先端当接面との当接部分に下側吐出口８１Ａが形成されるとともに、コアピンの先端当接面と縦喰い切りピンの基端当接面との当接部分に上側吐出口８１Ｂが形成される。なお、上記したコアピンや縦喰い切りピンの先端当接面及び基端当接面は、ピン軸に対して傾斜した傾斜面でなくてもよく、ピン軸に対して直交した平面であってもよい。
【００１９】
また、吐出口８１Ａ，８１Ｂは、上側の吐出口８１Ａほど櫛歯８におけるＸ方向の中央側（櫛歯軸Ｌ１側）に配設されている。具体的に説明すると、上記した上側吐出口８１Ｂは、図１に示すように、櫛歯８先端側からみて、下側吐出口８１ＡよりもＸ方向の中央側の位置に配設されており、一対の上側吐出口８１Ｂ，８１Ｂの上端の間隔は一対の下側吐出口８１Ａ，８１Ａの下端の間隔よりも大きくなっている。
【００２０】
また、吐出口８１Ａ，８１Ｂは、上側の吐出口８１Ａほど開口面積が大きくなっている。具体的に説明すると、上側吐出口８１Ｂは、図３に示すように、下側吐出口８１Ａよりも開口面積が大きくなっている。すなわち、上側吐出口８１ＢのＹ方向寸法と下側吐出口８１ＡのＹ方向寸法とは同等であるが、上側吐出口８１Ｂの櫛歯軸Ｌ１方向の寸法が下側吐出口８１Ａよりも長くなっている。
【００２１】
次に、上記した構成からなる櫛付きキャップ１の作用について説明する。
【００２２】
まず、櫛歯８の先端を頭皮に当てる。詳しく説明すると、図示せぬボトルの胴部を把持し、吐出容器を上下反転させて櫛歯８の先端を頭皮に当接させる。
次に、吐出口８１Ａ，８１Ｂから所定量の内容物を吐出させながら、櫛部３により毛髪を梳かし、上記した内容物を毛髪に塗布する。
詳しく説明すると、図示せぬボトルの胴部を指等で押圧してスクイズ変形させる。これにより、ボトルの内圧が上昇し、ボトル内の内容物が、基台部７内から連通孔８０内を通って下側吐出口８１Ａおよび上側吐出口８１Ｂからそれぞれ吐出される。このとき、上側吐出口８１Ｂの方が下側吐出口８１Ａよりも開口面積が大きいので、上側吐出口８１Ｂから内容物が流出し易い。
また、櫛付きキャップ１を櫛歯８が並べられた方向（Ｘ方向）と直交する方向に頭皮に沿って移動させる。これにより、吐出口２３から吐出された内容物が毛髪に塗布される。
また、上記スクイズ変形を解除して、ボトル３の内圧を低下させることにより、内容物の吐出が停止される。
【００２３】
上記した構成からなる櫛付きキャップ１によれば、櫛歯軸Ｌ１方向に間隔をあけて形成された下側吐出口８１Ａ及び上側吐出口８１Ｂから内容物がそれぞれ吐出されるので、内容物の吐出量を増加させることができる。これにより、毛髪に十分な量の内容物を塗布することができる。
【００２４】
また、上側吐出口８１Ｂが、櫛歯８先端側からみて、下側吐出口８１Ａの櫛歯８径方向の内側に配設されているので、櫛歯軸Ｌ１直交方向に延在する横ピンを用いることなく、櫛歯軸Ｌ１方向に間隔をあけて下側吐出口８１Ａ、上側吐出口８１Ｂを形成することが可能である。これにより、成形時に使用される金型が簡単な構造となり、金型の組み立てが簡略化されることにより櫛付きキャップ１の成形工程が容易となり、櫛付きキャップ１の生産性を向上させることができる。
【００２５】
また、上側吐出口８１Ｂが下側吐出口８１Ａよりも開口面積が大きく、上側吐出口８１Ｂから内容物が流出し易くなっているため、下側吐出口８１Ａ及び上側吐出口８１Ｂにおける吐出量のばらつきが抑えられ、複数の吐出口８１Ａ，８１Ｂからの吐出量の均等化を図ることができる。これにより、櫛部３全体に均等に内容物を吐出させることができ、毛髪等に内容物をムラ無く塗布することができる。
【００２６】
以上、本発明に係る櫛付きキャップの実施の形態について説明したが、本発明は上記した実施の形態に限定されるものではなく、その趣旨を逸脱しない範囲で適宜変更可能である。
例えば、上記した実施の形態では、櫛歯８の側面に２つの吐出口８１Ａ，８１Ｂが櫛歯軸Ｌ１方向に間隔をあけて形成されているが、本発明は、３つ以上の吐出口が櫛歯軸Ｌ１方向に間隔をあけて形成されていてもよい。また、櫛歯８の両側面に吐出口８１Ａ，８１Ｂを形成したが、櫛歯８の何れか一方の側面にのみ吐出口８１Ａ，８１Ｂを形成することもできる。
【００２７】
また、上記した実施の形態では、上側吐出口８１ＢのＹ方向寸法と下側吐出口８１ＡのＹ方向寸法とを同等とし、上側吐出口８１Ｂの櫛歯軸Ｌ１方向の寸法を下側吐出口８１Ａよりも長くすることにより、上側吐出口８１Ｂの開口面積を大きくしているが、上側吐出口８１Ｂの櫛歯軸Ｌ１方向寸法と下側吐出口８１Ａの櫛歯軸Ｌ１方向寸法とを同等とするとともに上側吐出口８１ＢのＹ方向寸法を下側吐出口８１ＡのＹ方向寸法よりも大きく設定することで、上側吐出口８１Ｂの開口面積を大きくしたり、或いは、Ｙ方向寸法及び櫛歯軸Ｌ１方向寸法ともに、下側吐出口８１Ａの方よりも上側吐出口８１Ｂの方を大きくすることにより、上側吐出口８１Ｂの開口面積を大きくすることも可能である。
【００２８】
また、上記した実施の形態では、上側吐出口８１Ｂが下側吐出口８１Ａよりも開口面積が大きくなっているが、本発明は、上側吐出口８１Ｂ及び下側吐出口８１Ａの開口面積を同等にすることも可能であり、或いは、上側吐出口８１Ｂの開口面積を下側吐出口８１Ａの開口面積よりも小さくすることも可能である。
【００２９】
また、上記した実施の形態では、複数の櫛歯８がキャップ軸Ｌ０に対する仮想垂直面に沿って並べられており、複数の櫛歯８がキャップ軸Ｌ０方向に突出されているが、本発明は、櫛歯の向きは適宜変更可能である。例えば、複数の櫛歯がキャップ軸Ｌ０と平行な仮想平面に沿って並べられ、複数の櫛歯がキャップ軸Ｌ０に直交する方向に突出されていてもよく、或いは、複数の櫛歯がキャップ軸Ｌ０に対して傾斜した仮想平面に沿って並べられ、複数の櫛歯がキャップ軸Ｌ０に対して傾斜した方向に突出されていてもよい。
【００３０】
また、上記した実施の形態では、スクイズボトルに櫛付きキャップ１が取り付けられているが、本発明に係る櫛付きキャップをスクイズボトル以外のボトルに取り付けることも可能である。例えば、シリンダ内をピストンが往復移動する構成のポンプにより内容物を吐出させる吐出容器やエアゾール容器等に本発明に係る櫛付きキャップ適用することも可能であり、その他の構成の吐出容器に適用することも可能である。
【００３１】
また、上記した実施の形態では、複数の櫛歯８が一列に並べられているが、本発明は、複数の櫛歯が、二列以上に並べられていてもよい。また、上記した実施の形態では、複数の櫛歯８が直線的に並べられているが、本発明は、複数の櫛歯８が曲線的に並べられていてもよく、或いは、千鳥状に並べられていてもよい。
また、上記した実施の形態では、キャップ本体部２が図示せぬボトルの口部に螺着される構成になっているが、本発明は、螺着以外の方法でキャップ本体部２をボトル口部に取り付けてもよく、例えば、アンダーカット嵌合によってキャップ本体部２を口部に取り付けてもよい。
また、上記した実施の形態では、平板形状の櫛歯８が備えられているが、本発明は、櫛歯の形状を適宜変更することが可能であり、例えば、棒状の櫛歯が設けられていてもよい。
【００３２】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００３３】
【図１】本発明の実施の形態を説明するための櫛付きキャップの平面図である。
【図２】図１に示すＡ−Ａ間の半断面図である。
【図３】図１に示すＢ−Ｂ間の半断面図である。
【符号の説明】
【００３４】
１  櫛付きキャップ
２  キャップ本体部
３  櫛部
８  櫛歯
８０  連通孔
８１Ａ  下側吐出口（吐出口）
８１Ｂ  上側吐出口（吐出口）
Ｌ１  櫛歯軸（櫛歯の中心軸）
【図１】
0005285921.tif 000002
【図２】
0005285921.tif 000003
【図３】
0005285921.tif 000004